(57)【特許請求の範囲】
【請求項１】
少なくとも貼付票と配達票及び熨斗を備えた１枚目用紙と、タック基材が粘着剤を介して剥離紙と積層されたタック構造を有する２枚目用紙とを、接着剤を介して貼り合わせた熨斗付き配送伝票において、前記熨斗と、少なくとも前記貼付票と前記配達票の部分とが切り取りミシンにより隣接し、前記貼付票と前記配達票とはハーフカットＡにより隣接し、前記ハーフカットＡにより前記１枚目用紙のみが切断され、前記２枚目用紙であって前記熨斗に相当する位置の一方の端部から間隔をおいた位置にハーフカットＢが設けられ、前記ハーフカットＢにより前記２枚目用紙の剥離紙のみが切断され、また前記１枚目用紙のうち配達票と接していない側の貼付票の角部であって前記１枚目用紙側から前記タック構造の粘着剤の位置まで切断されたハーフカットＣが設けられ、かつ、前記熨斗の前記一方の端部であって前記１枚目用紙側から前記タック構造の粘着剤の位置まで切断されたハーフカットＤが設けられたことを特徴とする熨斗付き配送伝票。
【請求項２】
少なくとも貼付票と配達票及び熨斗を備えた１枚目用紙と、タック基材が粘着剤を介して剥離紙と積層されたタック構造を有する２枚目用紙とを、接着剤を介して貼り合わせた熨斗付き配送伝票において、前記熨斗と、少なくとも前記貼付票と前記配達票の部分とが切り取りミシンにより隣接し、前記貼付票と前記配達票とはハーフカットＡにより隣接し、前記ハーフカットＡにより前記１枚目用紙のみが切断され、前記２枚目用紙であって前記熨斗に相当する位置の一方の端部から間隔をおいた位置にハーフカットＢが設けられ、前記ハーフカットＢにより前記２枚目用紙の剥離紙のみが切断され、また前記１枚目用紙のうち配達票と接していない側の貼付票の一辺側の一部に設けられアンカットを伴う所定形状のハーフカットＣであって前記アンカット以外は前記１枚目用紙側から前記タック構造の粘着剤の位置まで切断されたハーフカットＣが設けられ、かつ、前記熨斗の前記一方の端部であって前記１枚目用紙側から前記タック構造の粘着剤の位置まで切断されたハーフカットＤが設けられたことを特徴とする熨斗付き配送伝票。
【発明の詳細な説明】
【技術分野】
【０００１】
本発明は、熨斗付き配送伝票に関し、さらに詳しくは配達票、貼付票及び熨斗を設けた構成で、伝票から必要な部分を剥がす際の手間がかからず、またノンインパクトプリンターで印字処理する際に、印字のカスレや、シワなどが生じることなく、印字品質に優れ、また伝票から熨斗を剥がした際の熨斗のカール発生を抑制でき、さらに印字領域を無駄なく配置して設計した熨斗付き配送伝票に関する。
【背景技術】
【０００２】
近年、一枚の伝票用紙上に複数種類の伝票を配列させて、各伝票を同時にプリンター印字したものを組とする１パート形式の配送伝票（以下、１パート配送伝票という）が多く利用されるようになってきた。
【０００３】
その代表的な１パート配送伝票は、剥離紙、粘着剤層、タック基材の順に積層されてなるタック紙の前記粘着剤層の形成された面（以下、タック紙裏面という）と反対側の面（以下、タック紙表面という）に、接着剤層を介して配達票と貼付票とを面状に配置して形成する伝票用紙が設けられ、少なくとも該配達票は該タック紙表面から剥離可能な構造をとっている。
【０００４】
１パート配送伝票は、上記のように一枚の伝票用紙上に配達票と貼付票が設けられているので、コンピュータで管理されている配送情報に基づき、お届け先情報、依頼元情報、その他バーコード等の管理用の情報などを、プリンター装置で配送伝票上の所定個所に高速で印字することが可能である。その使用に当たっては、事前に所定事項がプリンターで印字された１パート配送伝票を用意し、当該１パート配送伝票を構成するタック紙裏面の剥離紙を剥がし、粘着剤層を介して所定の配送物に貼付する。
【０００５】
配送業者は、当該配送物を受取人に渡した証しとして、受取人に前記配達票へ受領印あるいはサインを施してもらい、これを受け取る。通常は受け取った配達票に付されているバーコードを用いて、コンピュータで管理されている配送情報の消し込み処理などを行う。
【０００６】
このような１パート配送伝票として、例えば特許文献１には、紙と粘着剤層と剥離紙からなる積層体の紙面に、熨斗紙部と配送伝票部がミシン目に切り取り可能に形成された帳票が記載されている。この配送伝票では、表面の印字面をフルに使用するもので、伝票裏面の剥離紙にハーフカット加工をして、ラベルを剥がして用いている。しかし、この配送伝票では、剥離紙を簡単には剥がせない、つまり剥がす作業に手間がかかるという問題がある。また、特許文献１の配送伝票では、荷物に貼付される荷札票は裏面の離型紙から剥がして、粘着剤層により貼り付けるものであり、伝票の表側から剥がして貼付するものではなく、伝票を裏返す手間がかかり、取扱い性に問題がある。
【０００７】
さらに、特許文献１に記載された伝票は、熨斗紙部と配送伝票部との断面で、高さが異なり、段差が生じており、伝票の表面における平坦性に劣り、ノンインパクトプリンターで印字処理する際に、印字のカスレや、シワなどが生じて、問題がある。それに対して、特許文献２には、１パート配送伝票で、伝票表面の平坦性を有するもので、表側用紙と、ラベル基材／粘着剤／離型紙の順に積層されたタック紙とが貼り合せられた構成の配送伝票であり、熨斗部分が、その一部分を除いて表側用紙のみが分離可能に剥離可能な構造を有しているものが開示されている。
【０００８】
しかし、この配送伝票では、伝票の上部にハーフカットａで区画された余白部を有しており、その余白部は印字エリアではなく、廃棄される部分であり、無駄な部分である。配送伝票においても、省資源などの観点から、出来るだけコンパクトなものが要求されている中で、上記の配送伝票は満足できるものではない。
【０００９】
特許文献３には、配送伝票のラベルを剥がしやすくするために、そのラベルの外辺より突出させた摘み部（剥離紙）を設けた構成の伝票が提案されている。
しかし、この場合では、その摘み部は印字エリアではないので、有効な印字領域ではない、無駄な部分を有していて、印字スペースに制限されている帳票設計上で、問題が生じている。
【特許文献１】特許第３８５３４６７号公報
【特許文献２】特開２００２−３３１７７８号公報
【特許文献３】特開２００５−１０３７９号公報
【発明の開示】
【発明が解決しようとする課題】
【００１０】
したがって、本発明は１パート配送伝票において、配達票、貼付票及び熨斗を設けた構成で、伝票から必要な部分を剥がす際の手間がかからず、またノンインパクトプリンターで印字処理する際に、印字のカスレや、シワなどが生じることなく、印字品質に優れ、また印字領域を無駄なく配置して設計した熨斗付き配送伝票を提供することを目的とする。
【課題を解決するための手段】
【００１１】
上記問題を解決するために、本発明の請求項１の発明は、  少なくとも貼付票と配達票及び熨斗を備えた１枚目用紙と、タック基材が粘着剤を介して剥離紙と積層されたタック構造を有する２枚目用紙とを、接着剤を介して貼り合わせた熨斗付き配送伝票において、前記熨斗と、少なくとも前記貼付票と前記配達票の部分とが切り取りミシンにより隣接し、前記貼付票と前記配達票とはハーフカットＡにより隣接し、前記ハーフカットＡにより前記１枚目用紙のみが切断され、前記２枚目用紙であって前記熨斗に相当する位置の一方の端部から間隔をおいた位置にハーフカットＢが設けられ、前記ハーフカットＢにより前記２枚目用紙の剥離紙のみが切断され、また前記１枚目用紙のうち配達票と接していない側の貼付票の角部であって前記１枚目用紙側から前記タック構造の粘着剤の位置まで切断されたハーフカットＣが設けられ、かつ、前記熨斗の前記一方の端部であって前記１枚目用紙側から前記タック構造の粘着剤の位置まで切断されたハーフカットＤが設けられたことを特徴とする熨斗付き配送伝票である。
本発明の請求項２の発明は、  少なくとも貼付票と配達票及び熨斗を備えた１枚目用紙と、タック基材が粘着剤を介して剥離紙と積層されたタック構造を有する２枚目用紙とを、接着剤を介して貼り合わせた熨斗付き配送伝票において、前記熨斗と、少なくとも前記貼付票と前記配達票の部分とが切り取りミシンにより隣接し、前記貼付票と前記配達票とはハーフカットＡにより隣接し、前記ハーフカットＡにより前記１枚目用紙のみが切断され、前記２枚目用紙であって前記熨斗に相当する位置の一方の端部から間隔をおいた位置にハーフカットＢが設けられ、前記ハーフカットＢにより前記２枚目用紙の剥離紙のみが切断され、また前記１枚目用紙のうち配達票と接していない側の貼付票の一辺側の一部に設けられアンカットを伴う所定形状のハーフカットＣであって前記アンカット以外は前記１枚目用紙側から前記タック構造の粘着剤の位置まで切断されたハーフカットＣが設けられ、かつ、前記熨斗の前記一方の端部であって前記１枚目用紙側から前記タック構造の粘着剤の位置まで切断されたハーフカットＤが設けられたことを特徴とする熨斗付き配送伝票である。
【発明の効果】
【００１２】
本発明の熨斗付き配送伝票は、１パート配送伝票であり、伝票から配達票、貼付票、熨斗などの必要な部分を剥がす際、手間がかからず、容易に剥がせ、またノンインパクトプリンターで印字処理する際に、伝票の表面における平坦性が高いので、印字のカスレや、シワなどが生じることなく、印字品質に優れている。また貼付票などを配送伝票から剥がす際の摘み部など、印字における無駄な領域がなく、非常にコンパクトな配送伝票であり、非常に実用性が高い。
【発明を実施するための最良の形態】
【００１３】
以下、本発明の実施形態について、図面を参照しながら、詳細に説明する。
本発明では、熨斗付き配送伝票として、「熨斗」の用語を用いているが、贈答品につける熨斗に限らず、取扱注意や冷凍品、こわれ物等の告知する内容のことばが記載されたラベルであってもよい。
【００１４】
図１は、本発明の１実施例を示す熨斗付き配送伝票の説明図である。１枚目用紙は、貼付票３と配達票４をハーフカットＡ（９）により隣接して備え、また熨斗２と、他の部分である貼付票３及び配達票４とが切取りミシン６により隣接している。また、１枚目用紙の熨斗２の左端部がハーフカットＤにより切断され、そのハーフカットＤと切取りミシン６により分断された領域が、シール５として任意の用途に、貼付して利用することができ、付加価値が高まる。
【００１５】
図１の１）には１枚目用紙と２枚目用紙とを接着剤を介して、貼り合せられた配送伝票の平面図と、その平面図のＸ−Ｘにおける断面図を示し、図１の２）には図１の１）に示した配送伝票１の１枚目用紙のみを説明するための平面図を示した。図１の２）では、１枚目用紙の配達票４の裏面に剥離層１７が形成され、その剥離層１７と２枚目用紙の目止め層１３／タック基材１４／粘着剤１５／剥離紙１６とが、接着剤１２により貼り合せられる。詳しくは、剥離層１７と接着剤１２を介して目止め層１３が接する形態である。
【００１６】
図示した熨斗付き配送伝票１は、タック構造を有する２枚目用紙の熨斗に相当する位置で、左端部から間隔（ｍ）をおいてハーフカットＢが予め施されている。但し、ハーフカットＢは、２枚目用紙の剥離紙１６のみを切断している。また、貼付票３と配達票４とを区画しているハーフカットＡ（９）は、１枚目用紙のみを切断している。また、貼付票３の端部にハーフカットＣ（１０）が施されていて、該ハーフカットＣ（１０）は、１枚目用紙から、タック基材１４が粘着剤１５を介して剥離紙１６と積層したタック構造の粘着剤１５の位置まで、切断している。
【００１７】
そのハーフカットＣ（１０）において、給紙方向の先端部にアンカット１１が設けていて、図１の場合は、切取りミシン６のハーフカットＣ（１０）と交差する箇所が、そのアンカット１１の箇所である。このアンカット１１により、熨斗付け配送伝票の印字処理する際、給紙や印字のプリンター搬送時に、ハーフカットＣ（１０）の先端がめくれて、搬送トラブルが生じることを防止することができる。
【００１８】
さらに、熨斗２の左端部がハーフカットＤ（７）により配送伝票１から剥離可能な構成であり、該ハーフカットＤ（７）は１枚目用紙から、タック基材１４が粘着剤１５を介して剥離紙１６と積層したタック構造の粘着剤１５の位置まで、切断している。
切取りミシン６は、配送伝票１の上部であるシール５及び熨斗２と、配送伝票１の下部である貼付票３及び配達票４とを、区画し、それらが切り取られ、分離できる機能を有している。
【００１９】
図１のＸ−Ｘにおける断面図で示したように、本発明の熨斗付き配送伝票１は、伝票の表面における平坦性が高いので、１枚目用紙への印字におけるカスレや、シワなどが生じることなく、印字品質に優れたものとなる。
図示した熨斗２の左端部が、ハーフカットＤ（７）により配送伝票から剥離可能なものであり、該ハーフカットＤ（７）は１枚目用紙から、目止め層１３を含むタック基材１４が粘着剤１５を介して剥離紙１６と積層したタック構造の粘着剤１５の位置まで、切断している。これにより、ハーフカットＤ（７）と切取りミシン６により分断された領域を、シール５として任意の物体に貼付して利用することができる。
【００２０】
図２は、本発明の他の実施例を示す熨斗付き配送伝票の平面図であり、図１に示した熨斗付き配送伝票１と同様に、ハーフカットＡ（９）、ハーフカットＢ（８）、ハーフカットＤ（７）が加工されている。また、貼付票３の端部にハーフカットＣ（１８）が施されていて、該ハーフカットＣ（１８）は、１枚目用紙から、タック基材１４が粘着剤１５を介して剥離紙１６と積層したタック構造の粘着剤１５の位置まで、切断している。
【００２１】
そのハーフカットＣ（１８）において、給紙方向の先端部（半円形状の頂上部）にアンカット１９が設けられている。このアンカット１９の場合でも、熨斗付け配送伝票１の印字処理する際、給紙や印字のプリンター搬送時に、ハーフカットＣ（１８）の先端がめくれて、搬送トラブルが生じることを防止することができる。
【００２２】
図３は、本発明の一つの実施例を示す熨斗付き配送伝票を用いた利用方法を説明する概略図である。
まず、図３の１）では熨斗付き配送伝票１の切取りミシン６により、熨斗２（シール５付き）を、貼付票３及び配達票４と分離するように、配送伝票１から切り取る。
【００２３】
次に、図３の２）に示すように、上記の分離したシール５付きの熨斗２から、シール５及び剥離紙１６のハーフカットＢで分断された部分を含めた部材を残して、矢印の右側に示すように、剥離紙１６のハーフカットＢの位置を左端として、１枚目用紙／接着剤１２／目止め層１３／タック基材１４／粘着剤１５／剥離紙１６の構成からなる熨斗２が、分離される。そして、この熨斗２は、左端近傍に粘着剤１５が露出しているので、その粘着剤１５を利用して、贈答品等で配達する対象物に貼付できる。
【００２４】
次に、図３の３）に示すように、熨斗付き配送伝票１の切取りミシン６により、配送伝票１から、分離された貼付票３及び配達票４を用いて、貼付票３の左上端部のハーフカットＣ（１０）から、１枚目用紙から剥離紙１６までの積層体である部分２０（三角形の部分）が付着した剥離紙１６を粘着剤１５から剥がし取る。その剥がされた貼付票３及び配達票４は、矢印の右側に示すように、最下層に粘着剤１５が露出しているので、その粘着剤１５を利用して、配達する荷物に貼り付ける。
図３の２）及び３）の矢印の右側に示したものは上図に平面図、下図に、その平面図に対応した部分の断面図を示した。
【００２５】
次に、図示していないが、貼付票３及び配達票４が貼付された荷物を取り扱う運送会社のドライバー等の人が、配達票４を、剥離層１７から接着剤１２を剥がして、荷物から剥離する。必要に応じて、配達先である届け先の方に、その配達票４に、荷物の受領した判ないしサインをもらい、該配達票４を配達記録として持ち帰る。尚、届けられた荷物に貼付された配送伝票は、貼付票がその配送伝票に固定されている。したがって、荷物を受け取った人は、貼付票に記録された配達先の住所、氏名及び配達された対象物の品名、数量等を確認できる。
【００２６】
また、図３の２）で示したシール５及び剥離紙１６のハーフカットＢで分断された部分を含めた部材から、その部材を扱う人が、シール５を剥離紙１６から剥がして、任意の物に、粘着剤１５により貼って、任意の用途に、利用する。シール５の１枚目用紙にメモ書きしたり、氏名を記入したり、任意の用途に利用することができ、付加価値の高いものである。
【００２７】
本発明の熨斗付き配送伝票における１枚目用紙としては、熨斗、貼付票及び配達票として利用可能であれば、その種類は限定されないが、１枚目用紙の表面には、感熱発色記録、熱転写記録や、インクジェット記録などのノンインパクト記録で、印字記録するものであり、それらの記録方式に適した用紙が用いられる。例えば、感熱発色用紙（サーマル用紙）、熱転写記録用紙、インクジェット記録用紙などである。
【００２８】
また、上記の接着剤１２と剥離層１７は、本発明の熨斗付き配送伝票の使用する方法に適用できるものであれば、その材料など限定するものではない。また、タック構造を有する２枚目用紙は、その粘着剤で荷物に貼り付けて簡単には剥がれないものを使用する。
【００２９】
本発明の熨斗付き配送伝票の製造方法に関しては、所定のパターンで剥離層、接着剤を連続的に塗工し、ハーフカットＡは１枚目用紙に予め加工し、またハーフカットＢは２枚目用紙に予め加工しておき、所定の積層構成になるように、ラミネートし、所定の箇所にハーフカットＣ、Ｄの処理を連続処理して、所定のサイズに、シート状に裁断（シートカット）して、熨斗付き配送伝票を作製することができる。
【図面の簡単な説明】
【００３０】
【図１】本発明の１実施例を示す熨斗付き配送伝票の説明図である。
【図２】本発明の他の実施例を示す熨斗付き配送伝票の平面図である。
【図３】本発明の一つの実施例を示す熨斗付き配送伝票を用いた利用方法を説明する概略図である。
【符号の説明】
【００３１】
１    熨斗付き配送伝票
２    熨斗
３    貼付票
４    配達票
５    シール
６    切取りミシン
７    ハーフカットＤ
８    ハーフカットＢ
９    ハーフカットＡ
１０    ハーフカットＣ
１１    アンカット
１２    接着剤
１３    目止め層
１４    タック基材
１５    粘着剤
１６    剥離紙
１７    剥離層
１８    ハーフカットＣ
１９    アンカット
２０    部分
【図１】
0005617377.tif 000002
【図２】
0005617377.tif 000003
【図３】
0005617377.tif 000004